(57)【要約】【課題】  安価で、かつ、防水性・デザイン性に優れる植物用センシングデバイスを提供すること。【解決手段】植物用センシングデバイスであって、光量センサー・温度センサー・水分センサー等の植物用センサーと、前記植物用センサーの全部、または、一部を格納することが可能な筐体とを備え、前記筐体が、上に凸な防滴部と、格納部とを備え、前記防滴部の最大断面積が、前記格納部の最大断面積と比較して大きいことを特徴とする、植物センシングデバイスを用いる。【選択図】図１
2016202161.tif 000002
【特許請求の範囲】
【請求項１】
植物用センシングデバイスであって、
光量センサー・温度センサー・水分センサー等の植物用センサーと、
前記植物用センサーの全部、または、一部を格納することが可能な筐体とを備え、
前記筐体が、上に凸な防滴部と、格納部とを備え、
前記防滴部の最大断面積が、前記格納部の最大断面積と比較して大きいことを特徴とする、
植物用センシングデバイス。
【請求項２】
請求項１に記載の植物用センシングデバイスであって、
前記格納部が、脚部を有することを特徴とする、
植物用センシングデバイス。
【請求項３】
請求項１、または、請求項２に記載の植物用センシングデバイスであって、
前記格納部が、円柱であることを特徴とする、
植物用センシングデバイス。
【請求項４】
請求項１、または、請求項２に記載の植物用センシングデバイスであって、
前記防滴部が、多角柱であることを特徴とする、
植物用センシングデバイス。
【請求項５】
請求項１から請求項４のいずれかに記載の植物用センシングデバイスであって、
前記光量センサーが、前記防滴部に形成された煙突型の光量センサー設置部に設置されていることを特徴とする、
植物用センシングデバイス。
【請求項６】
センシングシステムであって、請求項１から請求項５のいずれかに記載の植物用センシングデバイスが取得したデータを有線、または、無線で携帯電話、ルーター、パーソナルコンピュータ等の電子機器に送信し、前記取得したデータ、または、前記取得したデータに関連する文字、図表等が前記電子機器上に表示されることを特徴とする、
センシングシステム。
【請求項７】
請求項６に記載のセンシングシステムであって、
前記表示される図表が、キャラクター画像やアニメーションであることを表示することを特徴とする、
センシングシステム。
【発明の詳細な説明】
【技術分野】
【０００１】  本発明は、安価で、かつ、防水性・デザイン性に優れる植物用センシングデバイスに関する。
【背景技術】
【０００２】  近年、食物の安定供給のため、植物育成環境を制御して植物を育てる、植物工場の開発が進んでいる。たとえば、特許文献１には、光量や温度等の、植物周囲の育成環境をセンシングし、前記測定された育成環境に合わせて人工光の強度等を制御する植物用センシング技術が公開されている。
【特許文献１】  特開平５−８５１３４号公報
【０００３】  ［０００２］項で述べた植物用センシング技術は、前述した植物工場向けだけでなく、個人向けにも適用が進んでいる。例えば、特許文献２には、個人向け、すなわち、鉢植え等の小型な生育環境向けであって、光量や温度等の、植物周囲の育成環境をセンシングし、前記測定された育成環境に合わせて、土中の水分量等を制御する植物用センシング技術が公開されている。
【特許文献２】  特開２０１２−２４０１１号公報
【０００４】  また、非特許文献１には、［０００３］で述べたような、個人向け植物用センシング技術として、光量、温度、土壌の水分量を測定し、前記測定された生育環境と、植物の最適な生育環境を記録したデータベースとを照合し、最適な生育環境となるよう、ユーザーにアドバイスを行う植物センシングデバイス、および、技術が公開されている。
【非特許文献１】  “Ｋｏｕｂａｃｈｉ  Ｗｉ−Ｆｉプラントセンサー”ｈｔｔｐ：／／ｗｗｗ．ｋｏｕｂａｃｈｉ．ｊｐ／
【発明の概要】
【発明が解決しようとする課題】
【０００５】  しかしながら、これらの従来技術は、以下の問題点を有する。すなわち、安価に、防滴性・デザイン性が高い植物用センシングデバイスを実現することが困難、という問題点である。【０００６】  例えば、特許文献２においては、光量センサーは植物近傍の土上に設置されている。このような状況においては、前記光量センサーへ電源を供給するケーブルや前記光量センサーからデータを伝送するためのケーブルが土上に配置されることとなり、デザイン性を著しく損なう。また、非特許文献１においては、光量センサーは、筐体内部に格納されているものの、防滴性を高めるために、筐体全体に渡って、ゴムパッキン等の防滴性を高める構造を導入する必要があり、コストが増大する。
【課題を解決するための手段】
【０００７】  以上述べた課題を解決するために、本発明は、植物用センシングデバイスであって、光量センサー・温度センサー・水分センサー等の植物用センサーと、前記植物用センサーの全部、または、一部を格納することが可能な筐体とを備え、前記筐体が、上に凸な防滴部と、格納部とを備え、前記防滴部の最大断面積が、前記格納部の最大断面積と比較して大きいことを特徴とする、植物用センシングデバイスである。【０００８】  また、本発明は、［０００７］項に記載の植物用センシングデバイスであって、前記格納部が、脚部を有することを特徴とする、植物用センシングデバイスである。【０００９】  また本発明は、［０００７］項、または、［０００８］項に記載の植物用センシングデバイスであって、前記格納部が、円柱であることを特徴とする、植物用センシングデバイスである。【００１０】  また本発明は、［０００７］項、または、［０００８］項に記載の植物用センシングデバイスであって、前記防滴部が、多角柱であることを特徴とする、植物用センシングデバイスである。【００１１】  また本発明は、［０００７］項から［００１０］項のいずれかに記載の植物用センシングデバイスであって、前記光量センサーが、前記防滴部に形成された煙突型の光量センサー設置部に設置されていることを特徴とする、植物用センシングデバイスである。【００１２】  また本発明は、センシングシステムであって、［０００７］項から［００１１］項のいずれかに記載の植物用センシングデバイスが取得したデータを有線、または、無線で携帯電話、ルーター、パーソナルコンピュータ等の電子機器に送信し、前記取得したデータ、または、前記取得したデータに関連する文字、図表等が前記電子機器上に表示されることを特徴とする、センシングシステムである。【００１３】  また本発明は、［００１２］項に記載のセンシングシステムであって、前記表示される図表が、キャラクター画像やアニメーションであることを表示することを特徴とする、センシングシステムである。
【発明の効果】
【００１４】  ［０００７］項に記載の発明によれば、安価に、防滴性・デザイン性が高い植物用センシングデバイスを提供することが可能となる。【００１５】  ［０００８］項に記載の発明によれば、［０００７］項に記載の発明の効果に加えて、前記植物用センサーの一部が前記筐体の外部に設置されている場合であっても、高い防滴性を得ることが可能となる。【００１６】  ［０００９］項に記載の発明によれば、［０００７］項、または、［０００８］項に記載の発明の効果に加えて、高い防水性を得ることが可能となる。【００１７】  ［００１０］項に記載の発明によれば、［０００７］項、または、［０００８］項に記載の発明の効果に加えて、太陽電池等の自律電源を、防滴部に実装することが容易となり、結果としてメンテナンスコストを低減することが可能となる。【００１８】  ［００１１］項に記載の発明によれば、［０００７］項から［００１０］項のいずれかに記載の発明の効果に加えて、精度よく光量を取得することができるセンシングデバイスを提供することが可能となる。【００１９】  ［００１２］項に記載の発明によれば、［０００７］項から［００１１］項のいずれかに記載の発明の効果に加えて、遠隔でセンシングデータをモニタすることが可能なセンシングシステムを提供できる。【００２０】  ［００１４］項に記載の発明によれば、［００１９］項に記載の発明の効果に加えて、ユーザーの植物生育に対するモチベーションを向上させることが可能なセンシングシステムを提供できる。
【図面の簡単な説明】
【００２１】
【図１】本発明の第一の実施形態を説明するための図である。
【図２】本発明の第二の実施形態を説明するための図である。
【図３】本発明の第三の実施形態を説明するための図である。
【図４】本発明の第四の実施形態を説明するための図である。
【図５】本発明の第五の実施形態を説明するための図である。
【図６】本発明の第一の実施例を説明するための図である。
【図７】本発明の第二の実施例を説明するための図である。
【図８】本発明の第二の実施例の動作を説明するためのフローチャート図である。
【発明を実施するための形態】
【第一の実施形態】
【００２２】  本発明の第一の実施形態について、図１を用いて説明する。図１における植物用センシングデバイス１１は、光量センサー・温度センサー・水分センサー等の植物用センサー２１と、前記植物用センサー２１の全部を格納することが可能な筐体３１とを備え、前記筐体３１は、上に凸な防滴部４１と、円柱型の格納部５１とを備えている。図１においては、前記防水部４１の最大断面積は、前記格納部５１の最大断面積と比較して大きい。
【００２３】  前記植物用センサー２１は、市販のデジタルセンサー、アナログセンサー、その他の計測用センサーで構成されている。前記筐体３１は、プラスチック、木、アルミ等の誘電体、または、金属、または、半導体、または、それらの混合物で構成されている。なお、本実施形態においては、植物用センサー２１の全部が筐体３１に格納されている構造としたが、その限りではない。また、筐体３１は、防滴部４１と格納部５１以外の、筐体を構成するに必要な部材や部品を備えていても良い。
【００２４】  次に、本発明の第一の実施形態における動作について説明する。植物用センシングデバイス２１は、電池等の外部電源（図示せず）より電源を供給され、センサーデータを測定する。前記測定されたセンサーデータは、記憶媒体（図示せず）等を介する方法、あるいは、出力モニタ（図示せず）等を介する方法、あるいは、別の方法によってユーザーに取り出され、センシング動作が完了する。
【００２５】  本発明の第一の実施形態に記載の発明によれば、安価に、防滴性・デザイン性が高い植物用センシングデバイスを提供することが可能となる。
【００２６】  図１で示したように、植物用センサー２１は、筐体３１内部に格納されている。したがって、センサー間を接続する配線等が、ユーザーの目に触れることはなく、高いデザイン性が得られる。
【００２７】  さらに、防滴部４１の最大断面積が格納部５１の最大断面積と比較して大きい、すなわち、防滴部４１が格納部５１の傘となるような構造であることから、低コストに防滴性を高めることが可能となる。通常、防滴部４１の上部、すなわち、図１におけるＺ軸正方向から水が掛けられるが、防滴部４１が格納部５１に対して傘となるような構造であることから、高い防滴効果が得られる。この場合、防滴部４１と格納部５１の接続部にパッキン等の防滴構造を導入する必要はなく、低コストに防滴効果を得ることができる。
【００２８】  以上述べた通り、第一の実施形態によって、安価に、防滴性・デザイン性が高い植物用センシングデバイスを提供することが可能となる。
【第二の実施形態】
【００２９】  次に、本発明の第二の実施形態について、図２を用いて説明する。図１における植物用センシングデバイス１２は、第一の実施形態の構成に加えて、格納部５２が、脚部５２０１を有している。
【００３０】  本発明の第二の実施形態における動作は、第一の実施形態に記載の植物用センシングデバイスと同様であるため省略する。
【００３１】  第二の実施形態に記載の発明によれば、第一の実施形態に記載の発明の効果に加えて、前記植物用センサーの一部が前記筐体の外部に設置されている場合であっても、高い防滴性を得ることが可能となる。
【００３２】  図２で示した通り、植物用センシングデバイス１２は脚部５２０１を有している。この脚部５２０１があるため、格納部５２はその底面、すなわち、格納部５２と脚部５２０１との接触面が、土の表面から離間している。したがって、例えば格納部５２の底面を貫通して水分センサー等が配置されている場合であっても、前記貫通部は土の表面から離間しているため、貫通部の防水性が維持される。
【第三の実施形態】
【００３３】  次に、本発明の第三の実施形態について、図３を用いて説明する。図３における植物用センシングデバイス１３は、第一、または、第二の実施形態の構成に加えて、格納部５３が、円柱である。
【００３４】  本発明の第三の実施形態における動作は、第一の実施形態に記載の植物用センシングデバイスと同様であるため省略する。
【００３５】  第三の実施形態に記載の発明によれば、第一、または、第二の実施形態に記載の発明の効果に加えて、高い防水性を得ることが可能となる。
【００３６】  図３で示した通り、植物用センシングデバイス１３を構成する格納部５３は円柱である。したがって、格納部５３と防滴部４３の接合面にネジをきり、パッキンを挟む構造をとることで、比較的簡単に完全な防水構造をとることが可能になる。言い換えれば、防滴部４３をペットボトル飲料のキャップのように格納部５３に締めこむ構造とすることで、ペットボトル飲料のように防水構造とすることが可能となる。
【００３７】  なお、本明細書では防滴と防水の言葉を使いわけており、防滴は多少の水がかかっても動作に問題を起こさない機能を指し、防水は水中であっても動作可能な機能を指す。
【第四の実施形態】
【００３８】  次に、本発明の第四の実施形態について、図４を用いて説明する。図４における植物用センシングデバイス１４は、第一、または、第二の実施形態の構成に加えて、防滴部５４が、四角すいである。
【００３９】  本発明の第四の実施形態における動作は、第一の実施形態に記載の植物用センシングデバイスと同様であるため省略する。
【００４０】  第四の実施形態に記載の発明によれば、第一、または、第二の実施形態に記載の発明の効果に加えて、太陽電池等の自律電源を、防滴部に実装することが容易となり、結果としてメンテナンスコストを低減することが可能となる。
【００４１】  図４で示した通り、植物用センシングデバイス１３を構成する防滴部５４は四角すいである。このような構造とすることで、防滴部５４上に太陽電池パネルを容易に配置することが可能となる。適切なサイズの太陽電池、および、電源に関わる回路を配置することで、植物用センシングデバイス１４は電源メンテナンスが不要な自律駆動型デバイスとなる。電源メンテナンスが不要となるため、電池交換やコンセント接続等のメンテナンスコストを低減することが可能となる。
【００４２】なお、本実施形態においては四角すいとしたが、その他の多角すいであっても良いし、その他の太陽電池パネルを配置しやすい構造であっても良いことは言うまでもない。
【００４３】  次に、本発明の第五の実施形態について、図５を用いて説明する。図５における植物用センシングデバイス２５は、第一から第四のいずれかの実施形態の構成に加えて、前記光量センサーが、防水部４５に形成された煙突型の光量センサー設置部６５の内部に設置されている。前記光量センサーのセンシング面は、光の入射をセンシングするために、図５中Ｚ軸の正方向を向いている。
【００４４】  次に、本発明の第五の実施形態における動作について説明する。植物用センサー５５は、電池等の外部電源（図示せず）より電源を供給され、センサーデータを測定する。前記測定されたセンサーデータは、記憶媒体（図示せず）等を介する方法、あるいは、出力モニタ（図示せず）等を介する方法、あるいは、別の方法によってユーザーに取り出され、センシング動作が完了する。
【００４５】  第五の実施形態に記載の発明によれば、第一から第四の実施形態に記載のいずれかの発明の効果に加えて、精度よく光量を取得することができる植物用センシングデバイスを提供することが可能となる。
【００４６】  図５で示したように、前記光量センサーは、防滴部４５に形成された煙突型の光量センサー設置部６５に設置されている。煙突上部には、透明材が設置されている。このようにすることで、図５中Ｚ軸正方向から入射する光量を正確に測定し、かつ、防水性を担保することが可能となる。前記センサー設置部６５は、ユーザーが任意の場所に設置することが出来る。仮に、デザイン性が損なわれると判断された場合には、防滴部４５から凸とならないよう、前記センサー設置部６５を設置すればよい。
【実施例】
【第一の実施例】
【００４７】  本発明の第一の実施例について、図６を用いて説明する。図６におけるセンシングシステム７６は、第一の実施形態、または、第二の実施形態に記載の植物用センシングデバイス１６、および、携帯電話８６を備える。植物用センシングデバイス１６は、無線、または、有線で測定したデータを携帯電話８６に送信する機構（図示せず）を有する。なお、本実施例においては、センシングシステム７６が携帯電話８６を備える構成としたが、ルーター、パーソナルコンピュータ、スマートフォン等のその他の電子機器であっても良いし、これらの組み合わせであっても良い。
【００４８】  次に、第一の実施例に関し、その動作について説明する。まず植物用センシングデバイス１６がセンシングを実施する。次に、前記測定されたデータが、無線、または、有線を介して、携帯電話８６に送信される。次に、前記測定されたデータが、携帯電話８６上に表示される。
【００４９】本実施例によれば、第一の実施形態から第五の実施形態に記載のいずれか効果に加えて、遠隔でセンシングデータをモニタすることが可能なセンシングシステムを提供できる。
【第二の実施例】
【００５０】  本発明の第二の実施例について、図７を用いて説明する。図７におけるセンシングシステム７７は、第一の実施形態から第五の実施形態のいずれかに記載の植物用センシングデバイス１７、および、携帯電話８７を備える。植物用センシングデバイス１７は、無線、または、有線で測定したデータを携帯電話８７に送信する機構（図示せず）を有する。なお、本実施例においては、センシングシステム７７が携帯電話８７を備える構成としたが、ルーター、パーソナルコンピュータ、スマートフォン等のその他の電子機器であっても良いし、これらの組み合わせであっても良い。
【００５１】  次に、第二の実施例に関し、その動作について説明する。まず植物用センシングデバイス１７がセンシングを実施する。次に、前記測定されたデータが、無線、または、有線を介して、携帯電話８７に送信される。次に、前記測定されたデータを元に、携帯電話８３が表示するキャラクター画像９７を決定する。次に、前記決定されたキャラクター画像９７が携帯画面上に表示される。以上の第二の実施例の動作フローを図８に示す。
【００５２】本実施例によれば、第一の実施例に記載の効果に加えて、ユーザーの植物生育に対するモチベーションを向上させることが可能なセンシングシステムを提供できる。
【図１】
2016202161.tif 000003
【図２】
2016202161.tif 000004
【図３】
2016202161.tif 000005
【図４】
2016202161.tif 000006
【図５】
2016202161.tif 000007
【図６】
2016202161.tif 000008
【図７】
2016202161.tif 000009
【図８】
2016202161.tif 000010